(57)【要約】【課題】球に帯電した残留磁気の消去を図る。【解決手段】一般入賞部品５１の球出口８１から排出された球と、始動入賞部品５２の球出口８２から排出された球と、特定入賞口の球出口８３から排出された球と、普通入賞口の球出口８４から排出された球とが、盤側集合樋６１から枠側集合樋６３に取り込まれる。アウト口５５から排出された球は、枠側集合樋６３に取り込まれる。ファール球排出口２３から排出された球は、ファール球検出器６６を通過した後に、枠側集合樋６３に取り込まれる。これらの枠側集合樋６３に取り込まれた球は、消磁機構７１を通過した後に、枠側集合樋６３から遊技機枠１の外部に排出される。このように、消磁された球が枠側集合樋６３で遊技機枠１の外部における遊技設置構造体の回収装置に排出され、この回収装置に排出された球が当該回収装置から補給装置を経由して払出機構２５に供給される。【選択図】        図１
2005065722.tif 000002
【特許請求の範囲】
【請求項１】
遊技機枠の内部に、筒状の電磁石への電力の供給と遮断とを交互に行うことにより電磁石の外側に置かれた球を当該電磁石の内部空間を経由して遊技領域に向けて発射する発射機構を備えたパチンコ機において、遊技領域に発射された球の全部を集合して遊技機枠外に向けて排出する集合樋と、遊技領域に到達しないで電磁石側に戻ったファール球を集合して遊技機枠外に向けて排出するファール樋と、ファール樋を通る球を検出してファール球検出信号を出力するファール球検出器と、集合樋を通る球およびファール樋を通る球から残留磁気を消去する消磁機構と、上記ファール球検出信号に基づきファール球に相当する球を遊技機枠の裏側から遊技機枠の前面の球皿に払い出すように払出機構を駆動する払出駆動手段とを備えたことを特徴とするパチンコ機。
【請求項２】
遊技機枠の内部に、筒状の電磁石への電力の供給と遮断とを交互に行うことにより電磁石の外側に置かれた球を当該電磁石の内部空間を経由して遊技領域に向けて発射する発射機構を備えたパチンコ機において、遊技領域に発射された球の全部を集合して遊技機枠外に向けて排出する集合樋と、遊技領域に到達しないで電磁石側に戻ったファール球を集合して遊技機枠の前面の球皿に排出するファール樋と、集合樋を通る球およびファール樋を通る球から残留磁気を消去する消磁機構とを備えたことを特徴とするパチンコ機。
【請求項３】
遊技機枠の内部に、筒状の電磁石への電力の供給と遮断とを交互に行うことにより電磁石の外側に置かれた球を当該電磁石の内部空間を経由して遊技領域に向けて発射する発射機構と、遊技機枠の内部における遊技領域に発射された球に電磁石または永久磁石による磁力を働かせる遊技部品とを備えたパチンコ機において、遊技領域に発射された球の全部を集合して遊技機枠外に向けて排出する集合樋と、遊技領域に到達しないで電磁石側に戻ったファール球を集合して遊技機枠外に向けて排出するファール樋と、ファール樋を通る球を検出してファール球検出信号を出力するファール球検出器と、集合樋を通る球およびファール樋を通る球から残留磁気を消去する消磁機構と、上記ファール球検出信号に基づきファール球に相当する球を遊技機枠の裏側から遊技機枠の前面の球皿に払い出すように払出機構を駆動する払出駆動手段とを備えたことを特徴とするパチンコ機。
【請求項４】
遊技機枠の内部に、筒状の電磁石への電力の供給と遮断とを交互に行うことにより電磁石の外側に置かれた球を当該電磁石の内部空間を経由して遊技領域に向けて発射する発射機構と、遊技機枠の内部における遊技領域に発射された球に電磁石または永久磁石による磁力を働かせる遊技部品とを備えたパチンコ機において、遊技領域に発射された球の全部を集合して遊技機枠外に向けて排出する集合樋と、遊技領域に到達しないで電磁石側に戻ったファール球を集合して遊技機枠の前面の球皿に排出するファール樋と、集合樋を通る球およびファール樋を通る球から残留磁気を消去する消磁機構とを備えたことを特徴とするパチンコ機。
【請求項５】
遊技機枠の内部に、遊技機枠の内部における遊技領域に発射された球に電磁石または永久磁石による磁力を働かせる遊技部品を備えたパチンコ機において、遊技領域に発射された球の全部を集合して遊技機枠外に向けて排出する集合樋と、集合樋を通る球から残留磁気を消去する消磁機構とを備えたことを特徴とするパチンコ機。
【請求項６】
集合樋が遊技領域を形成した遊技盤の裏側に設けられた盤側集合樋と遊技機枠に設けられた枠側集合樋とに分割されたことを特徴とする請求項１−５のいずれかに記載のパチンコ機。
【発明の詳細な説明】
【０００１】
【発明の属する技術分野】
本発明は、遊技領域に発射された強磁性体からなる球に帯電した残留磁気を消去する消磁装置を備えたパチンコ機に関する。
【０００２】
【従来の技術】
従来のパチンコ機には、球の発射される遊技領域に、永久磁石または電磁石による磁力で球を一時的に保留する遊技部品を備えたものが知られている（例えば、特許文献１参照）。また、従来のパチンコ機には、筒状の電磁石への電力供給と遮断とを交互に行うことにより電磁石の外側に置かれた球を当該電磁石の内部空間を経由して遊技領域に向けて発射する発射機構を備えたものが知られている（例えば、特許文献２参照）。さらに、従来のパチンコ機には、上記特許文献２で開示された磁力で球を吸引して発射する発射機構を備え、当該発射された球をパチンコ機の内部で循環的に使用するために、発射された全ての球から残留磁気を消磁する消磁機構を備え、この消磁機構を経由した球を発射機構に供給する一方、遊技の結果の賞として球数をデータで遊技者に提供する、いわゆる封入式パチンコ機が知られている（例えば、特許文献３参照）。
【０００３】
【特許文献１】
実公昭５６−３６５３３号公報（第２頁、右欄第９−１１行、第２図）
【特許文献２】
特開平８−１１７３９８号公報（第２頁、段落番号００１１、図１）
【特許文献３】
特開平６−２９６７５２号公報（第４頁、段落番号００３４−００３６、段落番号００４６−００５１、図１、図３）
【０００４】
【発明が解決しようとする課題】
しかしながら、特許文献１；２に開示されたパチンコ機は、発射機構から発射されてパチンコ機から遊技店の島と呼ばれるような遊技設置構造体に回収される球が残留磁気を帯磁しているので、当該帯磁している球が遊技設置構造体の回収装置から補給装置を経由してパチンコ機の払出機構に供給されることとなり、帯磁した複数の球どうしが残留磁気で互いに数珠つなぎとなって回収装置や補給装置あるいは払出機構で球詰まりを発生するという問題点がある。これを解決すべく、特許文献１；２と特許文献３とを組み合わせることも考えられるけれども、特許文献３が封入式パチンコ機であるがため、特許文献１；２で開示された発射機構から発射された球を遊技設置構造体の回収装置に排出する形態のパチンコ機には、にわかに採用しがたいものである。
【０００５】
そこで、本発明は、パチンコ機から遊技設置構造体に排出する強磁性体からなる球から残留磁気を消去するによって、パチンコ機と遊技設置構造体および払出機構で玉詰まりを発生することなく当該球を使用することのできるパチンコ機を提供するものである。
【０００６】
【課題を解決するための手段】
本発明にあっては、遊技機枠の内部に、筒状の電磁石への電力の供給と遮断とを交互に行うことにより電磁石の外側に置かれた球を当該電磁石の内部空間を経由して遊技領域に向けて発射する発射機構を備えたパチンコ機において、遊技領域に発射された球の全部を集合して遊技機枠外に向けて排出する集合樋と、遊技領域に到達しないで電磁石側に戻ったファール球を集合して遊技機枠外に向けて排出するファール樋と、ファール樋を通る球を検出してファール球検出信号を出力するファール球検出器と、集合樋を通る球およびファール樋を通る球から残留磁気を消去する消磁機構と、上記ファール球検出信号に基づきファール球に相当する球を遊技機枠の裏側から遊技機枠の前面の球皿に払い出すように払出機構を駆動する払出駆動手段とを備えるか、または、遊技機枠の内部に、筒状の電磁石への電力の供給と遮断とを交互に行うことにより電磁石の外側に置かれた球を当該電磁石の内部空間を経由して遊技領域に向けて発射する発射機構を備えたパチンコ機において、遊技領域に発射された球の全部を集合して遊技機枠外に向けて排出する集合樋と、遊技領域に到達しないで電磁石側に戻ったファール球を集合して遊技機枠の前面の球皿に排出するファール樋と、集合樋を通る球およびファール樋を通る球から残留磁気を消去する消磁機構とを備えるか、または、遊技機枠の内部に、筒状の電磁石への電力の供給と遮断とを交互に行うことにより電磁石の外側に置かれた球を当該電磁石の内部空間を経由して遊技領域に向けて発射する発射機構と、遊技機枠の内部における遊技領域に発射された球に電磁石または永久磁石による磁力を働かせる遊技部品とを備えたパチンコ機において、遊技領域に発射された球の全部を集合して遊技機枠外に向けて排出する集合樋と、遊技領域に到達しないで電磁石側に戻ったファール球を集合して遊技機枠外に向けて排出するファール樋と、ファール樋を通る球を検出してファール球検出信号を出力するファール球検出器と、集合樋を通る球およびファール樋を通る球から残留磁気を消去する消磁機構と、上記ファール球検出信号に基づきファール球に相当する球を遊技機枠の裏側から遊技機枠の前面の球皿に払い出すように払出機構を駆動する払出駆動手段とを備えるか、または、遊技機枠の内部に、筒状の電磁石への電力の供給と遮断とを交互に行うことにより電磁石の外側に置かれた球を当該電磁石の内部空間を経由して遊技領域に向けて発射する発射機構と、遊技機枠の内部における遊技領域に発射された球に電磁石または永久磁石による磁力を働かせる遊技部品とを備えたパチンコ機において、遊技領域に発射された球の全部を集合して遊技機枠外に向けて排出する集合樋と、遊技領域に到達しないで電磁石側に戻ったファール球を集合して遊技機枠の前面の球皿に排出するファール樋と、集合樋を通る球およびファール樋を通る球から残留磁気を消去する消磁機構とを備えるか、または、遊技機枠の内部に、遊技機枠の内部における遊技領域に発射された球に電磁石または永久磁石による磁力を働かせる遊技部品を備えたパチンコ機において、遊技領域に発射された球の全部を集合して遊技機枠外に向けて排出する集合樋と、集合樋を通る球から残留磁気を消去する消磁機構とを備えたことによって、遊技領域から遊技機枠の外部に排出される球に帯磁していた残留磁気が消磁機構で消磁されるので、パチンコ機の設置される遊技設置構造体の回収装置から当該遊技設置構造体の補給装置を経由して払出機構に供給された複数の球どうしが残留磁気で互いに数珠つなぎとなって球詰まりを発生することなく、当該球をパチンコ機で適切に使用することができる。また、本発明にあっては、集合樋が遊技領域を形成した遊技盤の裏側に設けられた盤側集合樋と遊技機枠に設けられた枠側集合樋とに分割されれば、従前の構造のままの遊技盤収納構造体を有する遊技機枠を使用することができる。また、本発明にあっては、集合樋が遊技盤に設けられることなく遊技機枠に設けられれば、遊技盤が集合樋の無い簡単な構造となり、当該遊技盤を交換しても集合樋を共通に使用することができる。また、本発明にあっては、ファール樋が集合樋に接続され、消磁機構が枠側集合樋のファール樋の接続された部分よりも下流側に設けられれば、消磁機構の外形が小さくなり、遊技機枠における消磁機構の周りに、遊技機枠の裏部に消磁機構以外に取り付けるための空間を一層多く確保することができる。また、本発明にあっては、ファール球検出器が磁気センサであって、ファール樋の消磁機構よりも下流側に設けられれば、ファール球検出器が消磁機構で消磁された球を検出するので、ファール球検出器の電気的な検出閾値を特別に調整することが不要となる。
【０００７】
【発明の実施の形態】
図１−図４は第１実施形態であって、図１は盤側集合樋６１と枠側集合樋６３およびファール樋６４の裏面を除去したパチンコ機の背面を示し、図２は遊技機枠１と遊技盤４１とを分解したパチンコ機の前側からの外観を示し、図３は遊技機枠１と遊技盤４１とを分解したパチンコ機の裏側からの外観を示し、図４は遊技機枠１に遊技盤４１を格納したパチンコ機を縦方向に切断した断面を示す。
【０００８】
図２を参照し、パチンコ機について説明する。パチンコ機の遊技機枠１は、パチンコ店の図外の遊技設置構造体に取り付けるための外枠と呼ばれるような固定枠２を備える。固定枠２は前後方向に開放された縦長な長方形の空間を囲む額縁形状である。固定枠２には、前枠または中枠と呼ばれるような可動枠３が左側のヒンジ４で前側横方向に片開き可能に設けられる。可動枠３は固定枠２に対しヒンジ４で着脱可能（交換可能）に取り付けられる。可動枠３は前後方向に開放された縦長な長方形の空間を囲む額縁形状である。可動枠３が閉じられた場合、図外のロック機構によって、開閉不能に固定枠２に支持される。可動枠３には、パネル枠５および上皿構造体６が左側に設けられる図外のヒンジで前側横方向に片開き可能に取り付けられる。
【０００９】
パネル枠５は前後方向に開放された方形な空間を囲む額縁形状である。パネル枠５には、ガラスまたは合成樹脂からなる光透過性を有するパネル７がパネル枠５で取り囲まれた方形な空間を覆う格好で取り付けられる。パネル枠５および上皿構造体６が閉じられた場合、図外のロック機構によって、開閉不能に可動枠３に支持される。可動枠３の右側部には施錠装置８が設けられる。可動枠３やパネル枠５および上皿構造体６が閉じられてロック機構で開閉不能に支持された状態において、遊技店の店員が図外のキープレート（鍵）を遊技機枠１の前側から施錠装置８の鍵穴９に挿入し、当該キープレートを例えば右側に９０度回転操作すると、固定枠２と可動枠３とのロック機構による支持形態が解除される。この支持形態の解除後に、店員が可動枠３を前側に引くことによって、可動枠３はヒンジ４を回転中心として前側に片開きされる。
【００１０】
また、上記施錠装置８の鍵穴９に挿入されたキープレートが例えば左側に９０度回転操作されると、可動枠３とパネル枠５とのロック機構による支持形態が解除される。この支持形態の解除後に、店員がパネル枠５を前側に引くことによって、パネル枠５は図外のヒンジを回転中心として前側に片開きされる。このように、パネル枠５が前側に開かれた状態において、店員が上皿構造体６の裏面に設けられたロック解除操作体１１を操作すると、可動枠３と上皿構造体６とのロック機構による支持形態が解除される。この支持形態の解除後に、店員が上皿構造体６を前側に引くことによって、上皿構造体６は図外のヒンジを回転中心として前側に片開きされる。
【００１１】
上皿構造体６の前面には、遊技に使用する強磁性体からなる球を受ける上皿１２を備える。上皿構造体６の裏面には、球受樋１３と、上皿１２から発射機構１９に球を供給する球供給口１４とを備える。可動枠３の裏面にはリアプレートまたは機構板と呼ばれるような遊技盤収納構造体１５が取り付けられる。遊技盤収納構造体１５は中央に逃開口部１６を備える。逃開口部１６は図３の遊技盤４１の裏面に設けられた盤側集合樋６１を取り込む孔である。遊技盤収納構造体１５の逃開口部１６よりも下部における前面には、遊技盤搭載棚１７を備える。遊技盤搭載棚１７の前面には、球受部１８、発射機構１９、発射レール２０、ファール球取入口部２１およびスピーカ２２を右側から左側に順に備える。
【００１２】
球受部１８は、上皿１２から供給された１個の球を受け取る。発射機構１９は、筒状の電磁石への電力供給と遮断とを交互に行うことによって、上皿１２から球受部１８に供給されて電磁石の外側に置かれた１個の球を電磁石に帯磁された磁力で吸引し、当該球の電磁石への吸着直前に、上記磁力の消磁で当該球を電磁石の内部空間を経由して遊技盤４１の遊技領域４３に向けて発射する。発射レール２０は、発射機構１９から発射された球を、遊技盤４１における発射通路４７の入口に誘導する。
【００１３】
ファール球取入口部２１は、発射レール２０と遊技盤４１の発射通路４７との間に形成される図１のファール球取入空間８５から落下する球を取り込む。ファール球取入口部２１に取り込まれた球は、遊技盤収納構造体１５に形成されたファール球排出口２３から遊技盤収納構造体１５の裏面に排出される。遊技盤４１が遊技機枠１に格納されることによって、遊技盤４１の外ガイドレール４５と遊技機枠１の発射レール２０との間の隙間がファール球取入口部２１の真下に配置されたファール球取入空間８５として形成される。遊技盤収納構造体１５のスピーカ２２よりも上部における前面には、上皿構造体６の裏面に突出した球受樋１３を取り込むための逃孔２４が形成される。遊技盤収納構造体１５の左側裏面には、払出機構２５が取り付けられる。
【００１４】
そして、上皿構造体６が閉じられて可動枠３にロック機構で支持されると、球受樋１３の後部が逃孔２４を貫通して払出機構２５の下部に設けられた払出口２６の真下に配置される。これによって、払出機構２５から払い出された球は球受樋１３を経由して上皿１２に払い出される。可動枠３の前面には、下皿構造体２７が上皿構造体６よりも下部に位置して固定される。下皿構造体２７は上皿１２の満杯で上皿１２から溢れた球を受ける下皿２８と、上皿１２で溢れた球を下皿２８に排出する球入口２９とを備える。下皿構造体２７の前面には、下皿２８の底部に設けられた球抜口３１を開閉するシャッター３２を操作する開閉操作体３３を備える。
【００１５】
そして、下皿構造体２７の下部に図外のドル箱と呼ばれるような球受箱を置いた状態において、遊技者が開閉操作体３３を操作し、シャッター３２が開動作し、球抜口３１が開放されると、下皿２８に貯められた球が下皿２８から球抜口３１を経由して球受箱に排出される。遊技者が上記開閉操作体３３に対する操作を解除すると、開閉操作体３３およびシャッター３２が図外のばね力で図２に示す元の状態に戻り、シャッター３２が球抜口３１を閉じる。下皿構造体２７の右側部には可動枠３に取り付けられた発射操作機構３４が配置される。
【００１６】
遊技盤４１は、遊技盤４１の意匠盤面としての前面に、盤面飾り４２を備える。盤面飾り４２は遊技盤４１の前面に遊技領域４３を囲み形成するための中央開口部４４を有する。中央開口部４４の周縁部には、外ガイドレール４５と内ガイドレール４６とを備える。外ガイドレール４５と内ガイドレール４６との間は、発射通路４７として形成される。発射通路４７の出口には戻球防止弁４８が設けられる。戻球防止弁４８は、発射通路４７から戻球防止弁４８を押し開けて遊技領域４３に発射された球が遊技領域４３から発射通路４７に戻るのを防止する。
発射通路４７以外における外ガイドレール４５と内ガイドレール４６とで囲まれた内側の中央開口部４４が遊技領域４３である。
【００１７】
遊技領域４３における遊技盤４１の前面には一般入賞部品５１と始動入賞部品５２と可変入賞部品５３と図柄表示器５４とアウト口５５と図外のサイドランプおよび多数本の遊技釘などの遊技部品を備える。一般入賞部品５１は球の入賞により定数の賞球を払い出すための入賞部品であって、定形な入賞口を有するポケットタイプになっている。始動入賞部品５２は球の入賞により図柄表示器５４を駆動するための入賞部品であって、電動チューリップと呼ばれる左右一対の開閉駆動可能な羽根を有する形態を図示したが、一般入賞部品５１に類似するポケットタイプでもよい。遊技釘は、遊技領域に球の行き交いや流れを作る障害釘と呼ばれる。
【００１８】
可変入賞部品５３は、図柄表示器５４による当たりの確定で球の取り入れを可能とする、開閉体５６を有する入賞部品である。可変入賞部品５３の内部には、図外の特定入賞口と図外の普通入賞口とを備える。特定入賞口は、球の入賞で定数の賞球を払い出すとともに、開閉体５６を例えば最大１６回開閉するラウンド遊技の維持を行うための入賞口である。普通入賞口は、球の入賞で定数の賞球を払い出すとともに、１回のラウンド遊技中での開閉体５６の開閉動作を終了する入賞個数を計数するための入賞口である。一般入賞部品５１と始動入賞部品５２および可変入賞部品５３は、遊技領域４３から取り込んだ球を遊技盤４１の裏側に排出する取込形になっている。
【００１９】
遊技盤４１は、少なくてもパネル枠５が前側に開かれた状態において、可動枠３の前側から遊技盤搭載棚１７の上面に載せられるように、可動枠３と遊技盤収納構造体１５とで囲まれた前方開放な形状の収納室に格納される。そして、遊技盤４１が上記収納室に格納され、パネル枠５および上皿構造体６が閉じられ、上皿１２に球が入れられた状態において、遊技者が発射操作機構３４を操作すると、発射機構１９が上皿１２から供給された球を１個ずつ遊技領域４３に向けて発射する。
【００２０】
図３を参照し、遊技盤４１の裏側および遊技機枠１の裏側の構造について説明する。遊技盤４１の裏面には盤側集合樋６１が取り付けられる。盤側集合樋６１は、遊技領域４３に発射されて一般入賞部品５１と始動入賞部品５２と可変入賞部品５３とから遊技盤４１の裏側に排出された球を集合する。盤側集合樋６１は、集合した球を一側下部に設けられた排出口部６２に誘導し、排出口部６２から下方に自由落下（球の自重で球が落下する現象）で排出する。
【００２１】
遊技機枠１の裏側における遊技盤収納構造体１５の逃開口部１６よりも下部の裏面には、枠側集合樋６３とファール樋６４とが取り付けられる。枠側集合樋６３は、盤側集合樋６１の排出口部６２から排出された球と、遊技領域４３に発射されて遊技盤４１のアウト口５５から遊技盤４１の裏側に排出された球とを集合する。枠側集合樋６３は、集合した球を遊技機枠１の外部つまりパチンコ機の設置される図外の遊技設置構造体の回収装置に向けて排出する。よって、盤側集合樋６１と枠側集合樋６３とが図２の発射機構１９から遊技領域４３に発射された球の全部を集合して遊技機枠外に向けて排出する集合樋を構成する。したがって、集合樋が盤側集合樋６１と枠側集合樋６３とに分割されている。このように、集合樋が盤側集合樋６１と枠側集合樋６３とに分割されたことによって、逃開口部１６を有する従前の構造のままの遊技盤収納構造体１５を使用することができる。
【００２２】
ファール樋６４は遊技領域４３に到達しないで図２の発射通路４７を発射機構１９の電磁石側に戻ってファール球排出口２３から遊技盤収納構造体１５の裏側に排出されたファール球である球を集合して遊技機枠外に向けて排出する。第１実施形態では、ファール樋６４の下流端は、球がファール樋６４から枠側集合樋６３に流れるように、枠側集合樋６３の中間部に接続する。ファール樋６４には図１のファール球検出器６６が設けられる。ファール球検出器６６は、ファール樋６４を通る球を検出してファール球検出信号を遊技盤４１の裏部または遊技機枠１の裏部に設けられた図１の遊技制御装置６７に出力する。
【００２３】
枠側集合樋６３には消磁機構７１がファール樋６４の接続された部分よりも下流側に設けられる。このように、消磁機構７１が枠側集合樋６３におけるファール樋６４の接続された部分よりも下流側に設けられたことによって、消磁機構７１が枠側集合樋６３における上部開口の側の上流側よりも細い下流側だけを取り巻けばよいので、消磁機構７１の外形が小さくなる。具体的には、枠側集合樋６３の下流側だけを取り巻く消磁機構７１における交流磁界を発生する消磁コイルの外形が小さくなる。これによって、遊技機枠１における消磁機構７１の周りには、遊技機枠１の裏部に消磁機構７１以外に取り付けるための空間を一層多く確保することができる。消磁機構７１は、枠側集合樋６３を通る球に帯磁した残留磁気を消去するための交流磁界を枠側集合樋６３の内部に形成し、枠側集合樋６３の内部を流れる球が当該交流磁界内を通る過程で、枠側集合樋６３を通る球から当該球の残留磁気を消去する。
【００２４】
盤側集合樋６１と枠側集合樋６３およびファール樋６４は、透磁性および非磁性を有する合成樹脂のような材料で形成される。遊技盤収納構造体１５の逃開口部１６よりも上部の裏面には、遊技設置構造体における図外の補給装置から供給された球を受ける上タンク７２と、上タンク７２から図１の払出機構２５に球を誘導する下タンク７３とを備える。
【００２５】
図１を参照し、盤側集合樋６１、枠側集合樋６３、ファール樋６４それぞれの内部構造について説明する。遊技盤４１が遊技機枠１に格納された状態において、盤側集合樋６１は、図２に示す遊技盤収納構造体１５の逃開口部１６より遊技盤収納構造体１５の裏側に突出する。盤側集合樋６１の内部には、遊技盤４１の裏側に開口した一般入賞部品５１の球出口８１と、始動入賞部品５２の球出口８２と、可変入賞部品５３における特定入賞口の球出口８３および普通入賞口の球出口８４が配置される。枠側集合樋６３の上部開口は、盤側集合樋６１の排出口部６２および遊技盤４１のアウト口５５の真下に配置される。ファール樋６４における上方の内部には、遊技盤収納構造体１５の裏側に開口したファール球排出口２３が配置される。
【００２６】
よって、一般入賞部品５１の球出口８１から排出された球と、始動入賞部品５２の球出口８２から排出された球と、特定入賞口の球出口８３から排出された球と、普通入賞口の球出口８４から排出された球とが、盤側集合樋６１から枠側集合樋６３に取り込まれる。アウト口５５から排出された球は、枠側集合樋６３に取り込まれる。ファール球排出口２３から排出された球は、ファール球検出器６６を通過した後に、枠側集合樋６３に取り込まれる。これらの枠側集合樋６３に取り込まれた球は、消磁機構７１を通過した後に、枠側集合樋６３から遊技機枠１の外部に排出される。
【００２７】
したがって、発射機構１９による発射動作で帯磁した球が図２の遊技領域４３から球出口８１と球出口８２と球出口８３と球出口８４およびアウト口５５から遊技盤４１の裏側で消磁機構７１を経由することによって、当該球に帯磁していた残留磁気が消磁機構７１の交流磁界で消磁される。また、発射機構１９による発射動作で帯磁した球が遊技領域４３に到達することなくファール樋６４から遊技盤４１の裏側で消磁機構７１を経由することによって、当該球に帯磁していた残留磁気が消磁機構７１の交流磁界で消磁される。このように、消磁された球が枠側集合樋６３で遊技機枠１の外部における遊技設置構造体の回収装置に排出され、この回収装置に排出された球が当該回収装置から補給装置を経由して払出機構２５に供給される。このため、回収装置や補給装置あるいは払出機構２５において、複数の球どうしが残留磁気で互いに数珠つなぎとなって球詰まりを発生することなく、当該球をパチンコ機で適切に使用することができる。
【００２８】
図１において、７４は払出機構２５から排出される球を図２の球受樋１３に誘導する賞球樋、７５は図２の上皿１２から溢れた球を下皿２８に誘導するオーバーフロー樋、７６はオーバーフロー樋７５から排出される球を下皿２８の球入口２９に誘導する下樋、７７は図２の可動枠３の裏面に取り付けられた消磁制御装置である。消磁制御装置７７は、遊技制御装置６７から制御許可が指示されると、消磁機構７１の消磁コイルに電力を供給し、消磁機構７１の消磁コイルに交流磁界を発生させ、遊技制御装置６７から制御禁止が指示されると、上記消磁機構７１の消磁コイルへの電力の供給を遮断する装置である。
【００２９】
遊技制御装置６７は、遊技盤４１の裏部または遊技機枠１の裏部に取り付けられる。遊技制御装置６７が電力供給で起動し、図２の発射操作機構３４に設けられた図外のタッチセンサから遊技者の手の触れていることを検出した信号（接触信号）が遊技制御装置６７に入力され、発射操作機構３４に設けられた図外のストップスイッチから遊技者による球の発射停止操作を検出した信号（発射停止信号）が遊技制御装置６７に入力されていない状態において、発射操作機構３４が遊技者により発射操作されると、発射操作機構３４の可変抵抗器が操作量に応じた可変抵抗値を遊技制御装置６７に出力する。これによって、遊技制御装置６７は可変抵抗値に応じた発射出力で、例えば一分間当たり１００発未満に設定された一定周期を以って、発射機構１９の筒状の電磁石への電力供給と遮断とを交互に行うとともに、消磁制御装置７７に消磁機構７１への制御許可を指示する。
【００３０】
発射操作機構３４からの可変抵抗値の入力、または、発射操作機構３４からの接触信号の入力が遊技制御装置６７に設定された例えば１０秒のような一定時間連続して途絶えるか、または、発射操作機構３４からの発射停止信号の入力が遊技制御装置６７に上記一定時間連続するというように、発射操作機構３４から遊技制御装置６７への発射に必要な条件が一定時間連続して途絶えると、遊技制御装置６７はその一定時間が経過してから所定時間後に消磁制御装置７７に消磁機構７１への制御禁止を指示する。例えば、可変抵抗値の入力がなくなる直前に発射機構１９から打ち出された球が遊技領域から消磁機構７１を通過し終わるのに十分な時間は１５秒であるとし、一定時間が１０秒であるとした場合、所定時間は１５秒−１０秒＝５秒となる。
【００３１】
遊技制御装置６７は、一般入賞部品５１に入賞した球を検出する図外の一般球検出器からの入賞検出信号が入力されると、定数の賞球を払い出すべく払出機構２５を駆動する。遊技制御装置６７は、始動入賞部品５２に入賞した球を検出する図外の始動球検出器からの入賞検出信号が入力されると、当たり外れの抽選を行うとともに図柄表示器５４が図柄変動を表示するべく図柄表示器５４を駆動し、その後、当たり外れの抽選結果を反映すべく、図柄表示器５４の図柄変動を停止する。その停止で、図柄表示器５４の表示が当たり図柄で確定すると、遊技制御装置６７は可変入賞部品５３の開閉体５６を所定回数または所定時間開閉する大当たりを行うべく図外の開閉体駆動源を駆動する。開閉体駆動源で駆動された開閉体５６の開放中において、遊技制御装置６７は、開閉体５６の開放経過時間をカウントアップするとともに、可変入賞部品５３の普通入賞口に入賞した球を検出する図外の普通球検出器からの入賞信号が入力されるごとに普通入賞数をカウントアップする。
【００３２】
そして、遊技制御装置６７は、カウントアップした開放経過時間が遊技制御装置６７に設定された例えば３０秒のような設定開放経過時間に到達するか、カウントアップした普通入賞数が遊技制御装置６７に設定された例えば１０個のような設定普通入賞数に到達するまでに、特定入賞口に入賞した球を検出した図外の特定球検出器からの入賞信号が入力されると、ラウンド遊技の維持を設定し、カウントアップした開放経過時間が設定開放経過時間に到達するかカウントアップした普通入賞数が設定普通入賞数に到達したところで、開閉体５６を閉じた後に再び開くラウンド遊技を実行する。しかも、遊技制御装置６７は、可変入賞部品５３の普通球検出器からの入賞信号、可変入賞部品５３の特定球検出器からの入賞信号が入力されると、定数の賞球を払い出すべく払出機構２５を駆動する。
【００３３】
遊技制御装置６７の内部には、払出駆動手段６８を有する。遊技制御装置６７が電力供給で起動した状態において、払出駆動手段６８がファール球検出器６６からのファール球検出信号を入力すると、当該ファール球検出信号に対応して払出機構２５の払出駆動源６９を駆動する。これによって、払出駆動源６９が払出機構２５のスプロケットのような払出体７０を駆動し、払出体７０が上記ファール樋６４から遊技盤４１の裏側で消磁機構７１を経由して遊技機枠１の外部における遊技設置構造体の回収装置に排出されたファール球に相当する球を遊技機枠１の前面に設けられた球皿である図２の上皿１２に払い出す。
【００３４】
図４を参照し、遊技盤４１が遊技機枠１に格納されたパチンコ機の内部について説明する。遊技盤４１が遊技盤搭載棚１７の上面に載せられるとともに可動枠３と遊技盤収納構造体１５とで囲まれた前方開放な形状の収納室に格納され、パネル枠５および上皿構造体６が閉じられると、遊技領域４３の前側や盤面飾り４２の前面がパネル枠５やパネル７で被覆され、遊技領域４３に発射された球がパネル７で前側に飛び出すことなく遊技領域４３を自重で流下し、その流下する過程において、球が図外の遊技部品に衝突して遊技領域４３を行き交う。そして、球が遊技領域４３から図２の一般入賞部品５１と始動入賞部品５２と可変入賞部品５３およびアウト口５５に取り込まれる。
【００３５】
一般入賞部品５１と始動入賞部品５２および可変入賞部品５３に取り込まれた球は、球出口８１や球出口８２および球出口８３あるいは図１の球出口８４から盤側集合樋６１に取り込まれる。盤側集合樋６１に取り込まれた球は、盤側集合樋６１から枠側集合樋６３に取り込まれる。アウト口５５に取り込まれた球は、アウト口５５から枠側集合樋６３に取り込まれる。ファール樋６４に取り込まれた球は、ファール樋６４から枠側集合樋６３に取り込まれる。これらの枠側集合樋６３に取り込まれた球は、消磁機構７１を経由して、当該球に帯磁していた残留磁気が消磁機構７１の交流磁界で消磁された後に、枠側集合樋６３から遊技機枠１の外部に排出される。図４において、８６はパネル枠５の周囲における可動枠３の前面に取り付けられた前面飾りである。
【００３６】
図５は第２実施形態に係る遊技機枠１の裏側からの外観を示し、ファール樋６４が枠側集合樋６３に球を排出するように接続されることなく、ファール樋６４の下流端が球を遊技機枠１の外部に排出する形態になっている。ファール樋６４の中間部は枠側集合樋６３に隣接配置される。消磁機構７１は枠側集合樋６３とファール樋６４との隣接配置された部分に設けられる。よって、ファール樋６４に帯磁して取り込まれた球は、消磁機構７１で帯磁していた残留磁気を消磁された後、枠側集合樋６３から排出される球と同様に、遊技機枠１の外部に排出される。
【００３７】
図６は第３実施形態に係る遊技機枠１の背面を示し、ファール樋８７が枠側集合樋６３に球を排出するように接続されることなく、ファール樋８７の下流端が球を図２に示す下皿２８の球入口２９に誘導する下樋７６に排出するように接続される。ファール樋８７の中間部は枠側集合樋６３に隣接配置される。消磁機構７１はファール樋８７と枠側集合樋６３との隣接配置された部分に設けられる。よって、ファール樋８７に帯磁して取り込まれた球は、消磁機構７１で帯磁していた残留磁気を消磁された後、下樋７６から下皿２８に戻る。よって、遊技者が当該球を図２の下皿２８から上皿１２に入れて使用することができるうえ、ファール球検出器６６を使用しなくてよい。ファール球検出器６６を使用しなければ、構造が簡素になる。ファール球検出器６６を設ければ、ファール球数を遊技制御装置６７で計数することができる。
【００３８】
図７は第４実施形態に係る遊技機枠１に遊技盤４１を格納したパチンコ機を縦方向に切断した断面を示し、遊技盤４１に図１の盤側集合樋６１を設けることなく、当該盤側集合樋６１に相当する集合樋９１が遊技機枠１の遊技盤収納構造体１５に設けられる。よって、遊技盤４１が盤側集合樋６１の無い簡単な構造となり、当該遊技盤４１を交換しても集合樋９１を共通に使用することができる。集合樋９１と図４の枠側集合樋６３とは単一体に形成してもよい。
【００３９】
図８および図９は第５実施形態であって、図８は遊技機枠１と遊技盤４１とを分解したパチンコ機の前側からの外観を示し、図９は遊技機枠１と遊技盤４１とを分解したパチンコ機の裏側からの外観を示す。図８を参照し、パチンコ機について説明する。図８のパチンコ機の遊技機枠１は、発射機構９２が図２の発射機構１９と異なる。発射機構９２は電磁ソレノイドのような発射駆動源で球を打ち出すハンマー９３を備える。そして、遊技盤４１が前述した収納室に格納され、パネル枠５および上皿構造体６が閉じられ、上皿１２に球が入れられた状態において、遊技者が発射操作機構３４を操作すると、上皿１２から供給された球が発射機構１９のハンマー９３の前に供給され、このハンマー９３の前に供給された球Ｐをハンマー９３が１個ずつ遊技領域４３に向けて発射する。
【００４０】
遊技盤４１は、遊技領域４３に永久磁石または電磁石のような磁石９４による磁力で球を一時的に保留する遊技部品９５を備える。そして、磁石９４が電磁石の場合は、図１の遊技制御装置６７から磁石９４に電力が供給されると、電磁石が磁力で遊技部品９５に球を一時的に保留し、当該遊技制御装置６７から磁石９４への電力の供給が遮断されると、上記保留された球が遊技部品９５から下方に流下排出される。この遊技部品９５から排出された球は、遊技部品９５よりも下流側に配置された始動入賞部品５２や開閉体５６が下部を回転中心として前側に開いた可変入賞部品５３またはアウト口５５に取り込まれる。
【００４１】
図９を参照し、パチンコ機の裏側について説明する。図９のパチンコ機の遊技機枠１は、ファール樋９６が枠側集合樋６３に設けられた消磁機構７１を迂回して球を図８に示す下皿２８の球入口２９に誘導する下樋７６に排出するように接続される。つまり、図８の発射機構９２がハンマー９３で球を打ち出す構造であるので、ハンマー９３で打ち出された球は帯磁していない。よって、ハンマー９３で打ち出された球が、遊技領域４３に到達しないで図８の発射通路４７を発射機構１９の電磁石側に戻ってファール球排出口２３から遊技盤収納構造体１５の裏側でファール樋９６および下樋７６を経由して下皿２８に排出される。よって、遊技者が当該球を図８の下皿２８から上皿１２に入れて使用することができるうえ、図２のファール球検出器６６を使用しなくてよい。
【００４２】
また、遊技領域４３から図１の球出口８１と球出口８２と球出口８３と球出口８４およびアウト口５５を経由して遊技盤４１の裏側に排出された球が遊技部品９５の磁石９４で帯磁されても、当該球が盤側集合樋６１から枠側集合樋６３の消磁機構７１を通る過程で消磁されて遊技機枠１の外部における遊技設置構造体の回収装置に排出される。よって、回収装置や補給装置あるいは払出機構において、複数の球どうしが残留磁気で互いに数珠つなぎとなって球詰まりを発生することなく、当該球をパチンコ機で適切に使用することができる。
【００４３】
図８に示す遊技部品９５の有る遊技盤４１を、図２や図５または図６の遊技機枠１に装着してもよい。ファール球検出器６６が磁気センサにより構成され、当該磁気センサなるファール球検出器６６がファール樋６４またはファール樋８７の消磁機構７１よりも下流側に設けられれば、ファール球検出器６６が消磁機構７１で消磁された球を検出するので、ファール球検出器６６の電気的な検出閾値を特別に調整することが不要となる。
【図面の簡単な説明】
【図１】第１実施形態の裏側の球の流れを示すパチンコ機の背面図。
【図２】第１実施形態のパチンコ機の前側を示す分解斜視図。
【図３】第１実施形態のパチンコ機の裏側を示す分解斜視図。
【図４】第１実施形態のパチンコ機を示す縦断面図。
【図５】第２実施形態の遊技機枠の裏側を示す斜視図。
【図６】第３実施形態の遊技機枠の裏側を示す斜視図。
【図７】第４実施形態のパチンコ機を示す縦断面図。
【図８】第５実施形態のパチンコ機の前側を示す分解斜視図。
【図９】第５実施形態のパチンコ機の裏側を示す分解斜視図。
【符号の説明】
１  遊技機枠
１９；９２  発射機構
４３  遊技領域
６１  盤側集合樋（集合樋）
６３  枠側集合樋（集合樋）
６４；８７；９６  ファール樋
６６  ファール球検出器
６８  払出駆動手段
７１  消磁機構
９１  集合樋
９４  磁石（電磁石または永久磁石）
９５  遊技部品
【図１】
2005065722.tif 000003
【図２】
2005065722.tif 000004
【図３】
2005065722.tif 000005
【図４】
2005065722.tif 000006
【図５】
2005065722.tif 000007
【図６】
2005065722.tif 000008
【図７】
2005065722.tif 000009
【図８】
2005065722.tif 000010
【図９】
2005065722.tif 000011